(57)【要約】      （修正有）【課題】様々な形状のトイレに対応したセンサカバーを提供する。【解決手段】人体を検知するセンサからの光線を遮蔽する遮蔽部１０と、遮蔽部１０を支持し、遮蔽部１０より重量が大きい支持部２０と、遮蔽部１０と支持部２０とを連結するリング状の連結部３０とを有するセンサカバー１である。【選択図】図１
0003209211.tif 000002
【実用新案登録請求の範囲】
【請求項１】
人体を検知するセンサからの光線を遮蔽する遮蔽部と、
前記遮蔽部を支持し、前記遮蔽部より重量が大きい支持部と、
前記遮蔽部と前記支持部とを連結するリング状の連結部と
を有するセンサカバー。
【請求項２】
前記連結部は、開閉自在とされ、前記遮蔽部および前記支持部に対して着脱自在とされる
請求項１に記載のセンサカバー。
【請求項３】
前記遮蔽部は、第１の孔部を有し、
前記支持部は、第２の孔部および第３の孔部を有し、
前記第１の孔部および前記第２の孔部に対して前記連結部が取り付けられた第１の連結状態における前記支持部の奥行き方向の長さが、前記第１の孔部および前記第３の孔部に対して前記連結部が取り付けられた第２の連結状態における前記支持部の奥行き方向の長さより大きくなる
請求項１または２に記載のセンサカバー。
【請求項４】
前記支持部は、平面視において矩形状を有している板状体であり、短手方向の周縁部の中央付近に前記第２の孔部を有し、長手方向の周縁部の中央付近に前記第３の孔部を有する
請求項３に記載のセンサカバー。
【請求項５】
前記遮蔽部は発砲スチロールから構成されており、前記支持部は板状の弾性体から構成されている
請求項１〜４のいずれかに記載のセンサカバー。
【考案の詳細な説明】
【技術分野】
【０００１】
本考案は、例えばトイレの清掃時に使用されるセンサカバーに関する。
【背景技術】
【０００２】
オフィスビルや駅、ホテル等に設定されているトイレには、通常、人体を検知するセンサが備えられている。このセンサにより人体を検知した後（センサが反応した後）、人体を検知しなくなった場合（センサが反応しなくなった場合）にトイレの利用が終わったものとして水が流され、トイレの水洗がなされる。
【０００３】
このようなセンサ付きのトイレの清掃等を行う際に、作業者の手や頭部にセンサが反応して、清掃の途中にも関わらず清掃箇所が水洗され、洗剤が流されてしまうという不都合がある。そこで、従来は、雑巾をかぶせることによりセンサを隠したり、下記の特許文献１に記載のようなセンサカバーを用いてセンサを隠すことにより、センサが反応し続けるようにして水洗がなされることを防止していた。
【先行技術文献】
【特許文献】
【０００４】
【特許文献１】実用新案登録第３１５３８１７号
【考案の概要】
【考案が解決しようとする課題】
【０００５】
しかしながら、トイレの清掃に用いた雑巾が洗面所等の他の箇所の清掃に用いられることは、衛生的な観点から利用者の心理的な抵抗がある。このため、センサを隠すための専用の雑巾を用意しなければならないという問題がある。また、特許文献１に記載のセンサカバーは折り畳み式であるが、作業者は通常、作業用手袋を使用しているため、センサカバーの開閉がしづらいという問題がある。また、清掃の終了時にセンサカバー全体を移動させてセンサから退避させる必要があり、作業の効率が低下するという問題がある。さらには、雑巾や特許文献１に記載のセンサカバーを用いる方法は、トイレの形状によっては雑巾やセンサカバーを安定した姿勢で置くことができない場合があり、清掃中に雑巾やセンサカバーが落下してしまうという問題がある。
【０００６】
そこで、本考案は、上記問題を解決する新規且つ有用なセンサカバーを提供することを目的とする。
【課題を解決するための手段】
【０００７】
目的を達成するために、第１の考案は、人体を検知するセンサからの光線を遮蔽する遮蔽部と、遮蔽部を支持し、遮蔽部より重量が大きい支持部と、遮蔽部と支持部とを連結するリング状の連結部とを有するセンサカバーである。
第２の考案は、第１の考案において、連結部は、開閉自在とされ、遮蔽部および支持部に対して着脱自在とされるセンサカバーである。
第３の考案は、第１または第２の考案において、遮蔽部は、第１の孔部を有し、支持部は、第２の孔部および第３の孔部を有し、第１の孔部および第２の孔部に対して連結部が取り付けられた第１の連結状態における支持部の奥行き方向の長さが、第１の孔部および第３の孔部に対して連結部が取り付けられた第２の連結状態における支持部の奥行き方向の長さより大きくなるセンサカバーである。
第４の考案は、第３の考案において、支持部は、平面視において矩形状を有している板状体であり、短手方向の周縁部の中央付近に第２の孔部を有し、長手方向の周縁部の中央付近に第３の孔部を有するセンサカバーである。
第５の考案は、第１〜４の考案のいずれかの考案において、遮蔽部は発砲スチロールから構成されており、支持部は板状の弾性体から構成されているセンサカバーである。
【考案の効果】
【０００８】
第１の考案によれば、センサカバーの操作性を向上することができ、作業の効率を向上させることができる。
第２の考案によれば、遮蔽部の高さ方向の位置を変更することができ、様々な形状のトイレにも対応することができる。
第３、第４の考案によれば、支持部が置かれるスペースの奥行き方向の長さが小さい場合にも対応でき、様々な形状のトイレにも対応することができる。
第５の考案によれば、センサカバーが落下してしまった場合にトイレを傷つけてしまうことを防止することができる。また、低コストでセンサカバーを製造できる。
【図面の簡単な説明】
【０００９】
【図１】図１Ａは一実施形態に係るセンサカバーの斜視図であり、図１Ｂは遮蔽部の構成例を説明するための平面図であり、図１Ｃは支持部の構成例を示す平面図である。
【図２】図２Ａはトイレの形状の一例を示し、図２Ｂは当該トイレにセンサカバーを使用した状態を示す図である。
【図３】図３Ａはトイレの形状の他の例を示し、図３Ｂは当該トイレにセンサカバーを使用した状態を示す図である。
【図４】図４はトイレの形状の他の例と、当該トイレにセンサカバーを使用した状態とを示す図である。
【考案を実施するための最良の形態】
【００１０】
以下、本考案の一実施形態について図面を参照して説明する。なお、説明は、以下の順序によってなされる。
＜１．一実施形態＞
＜２．変形例＞
なお、本考案は、以下に説明する一実施形態に限定されるものではない。
【００１１】
＜１．一実施形態＞ 
［センサカバーの構成例］
始めに、図１Ａ〜図１Ｃを参照して、本考案の一実施形態に係るセンサカバー（センサカバー１）の構成例について説明する。図１Ａは一実施形態に係るセンサカバーの斜視図であり、図１Ｂは遮蔽部の構成例を説明するための平面図であり、図１Ｃは支持部の構成例を示す平面図である。
【００１２】
図１Ａに示すように、センサカバー１は、遮蔽部１０と、支持部２０と、遮蔽部１０と支持部２０とを連結する連結部３０とを有している。なお、説明の便宜を考慮して、各図では支持部２０に対してハッチングを付している。
【００１３】
遮蔽部１０は、発砲スチロールから構成されており、図１Ｂに示すように、平面視において矩形状を成す薄い板状体である。一例として、遮蔽部１０の短手方向の長さは５ｃｍ程度であり、長手方向の長さは１５ｃｍ程度であり、厚みは５ｍｍ程度である。遮蔽部１０は、短手方向の周縁部（周縁の周辺箇所）の中央付近に第１孔部である孔部１１を有している。遮蔽部１０は、人体を検知するセンサからの光線を遮蔽する。人体を検知するセンサは例えば赤外線センサであり、一般にトイレの上部やトイレの近傍に設けられている。
【００１４】
支持部２０は、遮蔽部１０より重量が大きいエラストマー等の弾性体（板ゴム）から構成されており、図１Ｃに示すように、例えば平面視において矩形状を成す薄い板状体である。一例として、支持部２０の短手方向の長さは５ｃｍ程度であり、長手方向の長さは１５ｃｍ程度であり、厚みは５ｍｍ程度である。支持部２０は、短手方向の周縁部の中央付近に第２の孔部である孔部２１と、長手方向の周縁部の中央付近に第３の孔部である孔部２２とを有している。
【００１５】
連結部３０は、金属や弾性体から構成されており、全体としてリング状を成している。連結部３０は、開閉自在とされている。例えば、連結部３０が開いた状態で遮蔽部１０の孔部１１および支持部２０の孔部２１に挿通された後、図１Ａに示すように、連結部３０が閉じられることにより、遮蔽部１０と支持部２０とが連結される。そして、再度、連結部３０を開いて孔部１１および孔部２１から外すことにより、遮蔽部１０と支持部２０とが連結した状態を解除することができる。すなわち、連結部３０は、遮蔽部１０および支持部２０のそれぞれに着脱自在とされている。
【００１６】
「センサカバーの使用例」
次に、センサカバー１の使用例について説明する。図２Ａに示すトイレ４０は、本体部４１と、本体部４１に設けられた凹形状の受尿部４２と、本体部４１の上方に設けられるカバー部４３とを有している。カバー部４３の内部にセンサ４４が設けられている。センサ４４から出射された光線（赤外線）が、カバー部４３に設けられたセンサ窓４５を介してカバー部４３の外部に出射され、トイレ４０の使用者の検知がなされる。
【００１７】
図２Ｂは、トイレ４０にセンサカバー１を使用した状態を示す図である。この例におけるセンサカバー１は、連結部３０が孔部１１および孔部２１に対して取り付けられている（第１の連結状態）。センサカバー１の連結部３０を本体部４１の上面４６の縁付近に位置するように、支持部２０を上面４６に載置する。すると、連結部３０を介して下方に垂れ下がる遮蔽部１０によりセンサ４４からの光線が遮蔽される。
【００１８】
このように、遮蔽部１０によりセンサ４４からの光線が遮蔽されセンサ４４が反応し続けるので、作業者がトイレ４０の受尿部４２等の清掃を行っている間、トイレ４０の洗浄機能を作動させないようにすることができる。したがって、トイレ４０の受尿部４２等を清掃し終えていないにも関わらず洗剤が洗い流されてしまうといったような状況を防止することができ、清掃作業の効率が向上する。また、清掃の途中にも関わらず水洗がなされないので洗剤の節約や節水にも貢献する。
【００１９】
なお、トイレ４０の清掃後は、作業者は、遮蔽部１０を上方に向かって跳ね上げるようにすればよい。これにより、遮蔽部１０は、連結部３０のリング形状に沿って回転方向に移動して、トイレ４０の本体部４１の上面に置かれる。これにより、センサ４４による検知が終了することでトイレ４０の洗浄機能が作動し、受尿部４２に水が流される。通常、作業者はしゃがんで清掃を行っているが、その姿勢を維持したままで受尿部４２に水を流して清掃の状態を確認することができる。また、軽量の遮蔽部１０を上方に跳ね上げるようにする簡単な操作で受尿部４２に水を流すことができる。このような簡単な操作でセンサ４４を動作させ受尿部４２に水を流すことは、特許文献１に記載の構造を有するセンサカバーでは不可能である。
【００２０】
さらに、支持部２０は遮蔽部１０より重いので、遮蔽部１０の重さによってセンサカバー１が上面４６から落下してしまうことはない。支持部２０は矩形状であり上面４６との接地面積を確保できるので、当該支持部２０を上面４６に安定して置くことができる。支持部２０を吸盤やマグネット、テープで構成することも考えられるが、吸盤では取り付け箇所が凹凸の場合や曲面になっている場合に安定して取り付けることができない。また、マグネットでは取り付け箇所が金属でなければならず、使用できるトイレが限定されてしまう。また、テープでは使用にともなって粘着力が低下してしまう。しかしながら、センサカバー１ではこのような問題は生じない。さらに、仮にセンサカバー１が落下した場合でも、遮蔽部１０が発砲スチロールから構成され、支持部２０が弾性体から構成されているので、トイレ４０の本体部４１や床面を傷つけてしまうことを防止することができる。
【００２１】
図３Ａは、トイレ４０とは異なる形状を有するトイレ５０を示す。トイレ５０は、本体部５１と、本体部５１に設けられた凹形状の受尿部５２と、本体部５１の上方に設けられる第１カバー部５３と、第１カバー部５３の上方に設けられる第２カバー部５４とを有している。第２カバー部５４の正面（トイレ５０の使用者側の面）にセンサ窓５５が設けられている。第２カバー部５４の内部には、センサ５６が設けられる。センサ５６から出射された光線（赤外線）が、センサ窓５５を介して第２カバー部５４の外部に出射され、トイレ５０の使用者の検知がなされる。図示するように、トイレの形状によっては、支持部２０が載置される箇所（本例では、第２カバー部５４の上面５４ａ）の奥行き方向の長さが小さい場合もある。
【００２２】
このような場合は、連結部３０を遮蔽部１０の孔部１１および支持部２０の孔部２２に対して取り付ければよい（第２の連結状態）。これにより、図３Ｂに示すように、支持部２０の奥行き方向の長さを第１の連結状態に比べて小さくできるので、第２カバー部５４の上面５４ａに支持部２０を安定した状態で載置することができる。そして、上述した例と同様に、遮蔽部１０によりセンサ５６からの光線を遮蔽することができる。このように、一実施形態に係るセンサカバー１では支持部２０の奥行き方向の長さを変更できるように構成しているので、様々な形状のトイレにも対応することが可能となる。
【００２３】
＜２．変形例＞
以上、本考案の一実施形態について具体的に説明したが、本考案は、上述の一実施形態に限定されるものではなく、本考案の技術的思想に基づく各種の変形が可能である。
【００２４】
図４に示すように、一実施形態に係るセンサカバー１は、小便器に設けられるセンサに対してだけでなく、大便器に設けられるセンサにも適用可能である。図４に示すように、例えば、個室内のトイレ６０の近傍（例えば、壁）に設置されたセンサ６１に対しても上述した一実施形態と同様にしてセンサカバー１を使用することができる。
【００２５】
上述した一実施形態では、１個の連結部３０を使用したが、複数の連結部３０を用いてもよい。例えば、２個の連結部を使用し、遮蔽部１０の孔部１１に取り付けられた連結部および支持部２０の孔部２１に取り付けられた連結部同士を連結してもよい。これにより、センサカバー１の使用時における遮蔽部１０の高さ方向の位置を調整（変更）することができる。支持部２０が載置される箇所とセンサの位置との間の高さ方向の長さもトイレによって様々であるが、このような場合でも本考案のセンサカバーは対応することができる。
【００２６】
上述の実施形態において挙げた構成、形状、材料および数値等などはあくまでも例に過ぎず、必要に応じてこれと異なる構成、形状、材料および数値等が用いられてもよい。例えば、遮蔽部１０は発砲スチロールでなくプラスチックや樹脂等でもよい。また、遮蔽部１０や支持部２０の形状は矩形状でなく、円形状や楕円形状、多角形状等でもよいし、遮蔽部１０の形状と支持部２０の形状とが異なっていてもよい。遮蔽部１０にテープ等が貼付され、補強がなされてもよいし、遮蔽部１０に着色や文字の印刷がなされていてもよい。本考案におけるセンサカバーは、トイレの清掃以外にも点検や修理の際にも使用できる。
【符号の説明】
【００２７】
１・・・センサカバー、１０・・・遮蔽部、１１・・・孔部（第１の孔部）、２０・・・支持部、２１・・・孔部（第２の孔部）、２２・・・孔部（第３の孔部）、３０・・・連結部
【図１】
0003209211.tif 000003
【図２】
0003209211.tif 000004
【図３】
0003209211.tif 000005
【図４】
0003209211.tif 000006